(57)【要約】      （修正有）【課題】他の無線設備によって通常的に使用されている周波数を予め把握し、使用頻度の最も少ない周波数で無線通報を行うことにより、確実に異常状態の発生を通報することができる無線通報装置を提供する。【解決手段】複数の受信周波数の中のいずれか一つを選択し受信周波数として設定するための受信周波数設定手段と、上記受信周波数設定手段によって設定された周波数における受信信号の有無を検出する信号検出手段と、上記受信周波数設定手段によって設定された受信周波数において上記信号検出手段が信号を検出した回数を累積して記憶するための信号検出回数記憶手段と、信号検出回数記憶手段に記憶された検出回数データの中から信号検出回数が最も少なかった周波数を抽出して出力するための制御手段と、上記制御手段から出力された受信周波数又は受信周波数に対応する受信チャンネル番号を表示するための表示手段とを備える。【選択図】図１
2006180440.tif 000002
【特許請求の範囲】
【請求項１】
無線電波を受信復調するための受信復調手段と、複数の受信周波数を記憶するための受信周波数記憶手段と、上記受信周波数記憶手段に記憶された複数の受信周波数の中のいずれか一つの受信周波数を選択し上記受信復調手段の受信周波数として設定するための受信周波数設定手段と、上記受信周波数設定手段によって設定された周波数における受信信号の有無を検出する信号検出手段と、上記受信周波数設定手段によって設定された受信周波数において上記信号検出手段が信号を検出した場合に信号を検出した回数を累積して記憶するための信号検出回数記憶手段と、スタート指令によって上記受信周波数記憶手段に記憶された複数の受信周波数を自動的にスキャンさせて各受信周波数に対応した信号検出回数を上記信号検出回数記憶手段に記憶させ、ストップ指令によって上記スキャン動作を停止させるとともに上記信号検出回数記憶手段に記憶された検出回数データの中から信号検出回数が最も少なかった周波数を抽出して出力するための制御手段と、上記制御手段にスタート指令を与えるためのスタート手段と、上記制御手段にストップ指令を与えるためのストップ手段と、上記制御手段から出力された受信周波数又は受信周波数に対応する受信チャンネル番号を表示するための表示手段とを備えたことを特徴とする無線通報装置。
【発明の詳細な説明】
【技術分野】
【０００１】  本発明は、無線通報装置を設置する場所で通常的に使用している周波数を予め把握し、使用頻度の最も少ない周波数を用いてより確実に無線で通報することの出来る無線通報装置に関するものである。
【背景技術】
【０００２】  近年、無線通報装置は、セキュリティ需要の増加に伴い、様々な方式のものが製品化され、その市場は増加の一途を辿っている。【０００３】  以下図面を参照しながら、上述した従来の無線通報装置の一例について説明する。図２は従来の無線通報装置のブロック図を示すものである。【０００４】  図２において、１ａ、１ｂ、１ｃ及び１ｄはそれぞれ異なる個別番号を有する個別番号送信手段でそれぞれの個別番号を「Ａ」、「Ｂ」、「Ｃ」及び「Ｄ」の記号とする。【０００５】  個別番号送信手段１ａが異常状態を検出した場合には、記号「Ａ」を無線電波で送信する。以下同様に、各個別番号送信手段１ｂ、１ｃ及び１ｄが異常状態を検出した場合には、それぞれ記号「Ｂ」、「Ｃ」及び「Ｄ」を無線電波で送信する。【０００６】  ２は受信アンテナで個別番号送信手段１ａ、１ｂ、１ｃ及び１ｄから送信された無線電波を受信する。３は受信復調手段で受信アンテナ２が受信した無線電波を復調する。４は個別番号検出手段で、受信復調手段３の出力に接続され、受信復調手段３が出力する復調信号から個別番号を検出する。【０００７】  ５は警報音発生手段、６はスピーカで、警報音発生手段５は個別番号検出手段４が個別番号を検出した場合にスピーカ６から警報音を発生させる。【０００８】  ７は個別番号表示手段で、個別番号検出手段４が個別番号を検出した場合に、個別番号「Ａ」、「Ｂ」、「Ｃ」及び「Ｄ」のいずれかを表示する。【０００９】  以上のように構成された無線通報装置について、以下図２を用いてその動作を説明する。まず、図２において、個別番号送信手段１ａに異常状態が発生したと仮定する。【００１０】  この場合、個別番号送信手段１ａに異常状態が発生したので、個別番号送信手段１ａが、固有の個別番号「Ａ」を無線電波で送信する。【００１１】  個別番号送信手段１ａから送信された無線電波は、受信復調手段３によって受信復調され、個別番号検出手段４によって復調信号の中から個別番号「Ａ」が検出される。検出された個別番号「Ａ」は、警報音発生手段５に入力されるとともに個別番号表示手段７にも入力される。【００１２】  警報音発生手段５は個別番号検出手段４が個別番号を検出したのでスピーカ６から警報音を発生する。【００１３】  また個別番号表示手段７は、個別番号検出手段４が個別番号「Ａ」を検出したので個別番号「Ａ」を表示する。【００１４】  すなわち、個別番号送信手段１ａに異常状態が発生すると、スピーカ６から警報音が鳴るので異常状態が発生したことを知ることが出来ると同時に、個別番号表示手段７に個別番号「Ａ」が表示されるので、個別番号送信手段１ａが設置された場所で異常状態が発生したことが分かる。
【発明の開示】
【発明が解決しようとする課題】
【００１５】  しかしながら上記のような構成では、
（１）個別番号送信手段１が送信する電波の周波数が既に他の無線設備によって使用されている場合には、アンテナ２は他の無線設備から送信される電波と個別番号送信手段１が送信する同一周波数の電波を同時に受信するために、受信復調手段３は正常な受信復調動作を行うことが出来ず、異常状態の通報を行うことが出来ない。また同時に、既にその周波数を使用している他の無線設備の通信に妨害を与える恐れがある。
（２）このような問題を避けるために、個別番号送信手段は予め送信しようとする周波数が使用されていないことを確認した後に送信動作を行うようにするという方法もあるが、当該周波数の使用頻度が高い場合には、緊急通報の必要があるにもかかわらず送信する機会が著しく制限される。
という問題点を有していた。【００１６】  本発明は上記問題点を解決し、無線通報装置を設置する場所で他の無線設備によって通常的に使用されている周波数を予め把握し、他の無線設備による使用頻度の最も少ない周波数で無線通報を行うことにより、確実に異常状態の発生を通報することができる無線通報装置を提供することにある。
【課題を解決するための手段】
【００１７】  上記問題点を解決するために本発明の無線通報装置は、無線電波を受信復調するための受信復調手段と、複数の受信周波数を記憶するための受信周波数記憶手段と、上記受信周波数記憶手段に記憶された複数の受信周波数の中のいずれか一つの受信周波数を選択し上記受信復調手段の受信周波数として設定するための受信周波数設定手段と、上記受信周波数設定手段によって設定された周波数における受信信号の有無を検出する信号検出手段と、上記受信周波数設定手段によって設定された受信周波数において上記信号検出手段が信号を検出した場合に信号を検出した回数を累積して記憶するための信号検出回数記憶手段と、スタート指令によって上記受信周波数記憶手段に記憶された複数の受信周波数を自動的にスキャンさせて各受信周波数に対応した信号検出回数を上記信号検出回数記憶手段に記憶させ、ストップ指令によって上記スキャン動作を停止させるとともに上記信号検出回数記憶手段に記憶された検出回数データの中から信号検出回数が最も少なかった周波数を抽出して出力するための制御手段と、上記制御手段にスタート指令を与えるためのスタート手段と、上記制御手段にストップ指令を与えるためのストップ手段と、上記制御手段から出力された受信周波数又は受信周波数に対応する受信チャンネル番号を表示するための表示手段とを備えたことを特徴とする。
【発明の効果】
【００１８】  本発明の無線通報装置は、上記した構成によって、無線通報装置を設置する場所で他の無線設備によって通常的に使用されている周波数を予め把握し、他の無線設備による使用頻度の最も少ない周波数で無線通報を行うことにより、確実に異常状態の発生を通報することができる。
【発明を実施するための最良の形態】
【００１９】  以下本発明に係る実施形態について、図面を参照して説明する。
なお、同様の構成要素については同一の符号を付している。
【実施例】
【００２０】  図１は本発明の実施例の無線通報装置のブロック図を示すものである。図１において、図２と同一の符号を付したものは、その機能、動作において全く同一なので説明を省略する。【００２１】  図１において、１０は受信周波数記憶手段で受信周波数ｆ１、ｆ２、ｆ３及びｆ４を記憶する。９は受信周波数設定手段で、端子ａ、ｂ、ｃ、ｄ及び端子ＯＦＦを有し、初期は端子ＯＦＦに接続されている。受信周波数設定手段９は端子ａ、ｂ、ｃ及びｄを切替え、上記受信周波数記憶手段１０に記憶した受信周波数ｆ１、ｆ２、ｆ３及びｆ４の中のいずれか一つの受信周波数を選択し上記受信復調手段３の受信周波数として設定する。８は信号検出手段で、上記受信復調手段３の出力に接続され、上記受信周波数設定手段９によって設定された周波数における受信信号の有無を検出する。１２は切替えスイッチで、端子ａ、ｂ、ｃ、ｄ及び端子ＯＦＦを有し、初期は端子ＯＦＦに接続されている。切替スイッチ１２は上記信号検出手段８の出力に接続され、上記受信周波数設定手段９と連動して切替え動作を行う。１１は信号検出回数記憶手段で、上記受信周波数設定手段９によって設定された受信周波数において上記信号検出手段８が信号を検出した場合に信号を検出した回数を累積して記憶する。【００２２】  １３は制御手段で、上記制御手段１３の端子ａは上記受信周波数設定手段９及び切替スイッチ１２に接続されている。上記制御手段１３の端子ａが論理レベルＨを出力した場合には、上記受信周波数設定手段９及び切替スイッチ１２を同時に始動させ、端子ａ、ｂ、ｃ及びｄの切替え動作を行う。また上記制御手段１３の端子ａが論理レベルＬを出力した場合には、上記受信周波数設定手段９及び切替スイッチ１２を同時に停止させ、端子ＯＦＦに接続させるとともに上記信号検出回数記憶手段１１に記憶された検出回数データの中から信号検出回数が最も少なかった周波数を抽出する。抽出された周波数データは制御手段１３の端子ｂに入力される。【００２３】  １４はスタート手段で、端子ａ及びｂを有す。端子ａは制御手段１３の端子ｅに接続されていて、端子ｂは接地している。スタート手段１４の端子ａと端子ｂが接続された場合、上記制御手段１３の端子ｅにスタート指令を与える。上記制御手段１３の端子ｅにスタート指令が与えられると制御手段１３の端子ｃからリセット信号が出力され、上記信号検出回数記憶手段１１に記憶している検出回数データをリセットするとともに、制御手段１３の端子ａは論理レベルＨを出力する。１５はストップ手段で、端子ａ及びｂを有す。端子ａは制御手段１３の端子ｆに接続されていて、端子ｂは接地している。ストップ手段１５の端子ａと端子ｂが接続された場合、上記制御手段１３の端子ｆにストップ指令を与える。上記制御手段１３のｆ端子にストップ指令が与えられると制御手段１３の端子ａは論理レベルＬを出力する。【００２４】  １６は表示手段で、制御手段１３の出力端子ｇに接続され、制御手段１３から出力された受信周波数又は受信周波数に対応する受信チャンネル番号を表示する。【００２５】  以上のように構成された無線通報装置について、以下図１を用いてその動作を説明する。【００２６】  まず、図１において、受���周波数記憶手段１０に受信周波数ｆ１、ｆ２、ｆ３及びｆ４が予め記憶されているものとする。【００２７】  次に図１において、受信周波数設定手段９及び切替スイッチ１２は端子ＯＦＦに接続されている。スタート手段１４を接地させ制御手段１３にスタート指令を与えて、受信周波数設定手段９及び切替スイッチ１２を同時に始動させ、スキャン動作を開始させる。【００２８】  受信周波数設定手段９が端子ａに接続されている場合、受信周波数記憶手段１０には受信周波数ｆ１が記憶されているので、受信周波数ｆ１は受信復調手段３の受信周波数として設定される。【００２９】  この時、受信アンテナ２で無線電波を受信すると、無線電波は受信復調手段３で受信復調される。このときの無線電波の周波数が受信周波数設定手段９で設定された周波数ｆ１と同じであれば受信復調手段３は受信復調信号を出力する。従って、信号検出手段８が信号を検出するので切替スイッチ１２の接点ａを経由して信号検出回数記憶手段１１に検出回数「１」が計数され累計記憶される。【００３０】  受信周波数設定手段９が端子ｂ、ｃ及びｄに接続されている場合も同様の動作により信号検出手段８で受信周波数設定手段９で設定された周波数ｆ２、ｆ３及びｆ４を検出した場合には信号検出回数記憶手段１１にそれぞれ信号を検出した回数「１」が計数され累計記憶される。【００３１】  受信周波数設定手段９は端子ｄに接続された後に再び接点ａに接続され同様の動作を繰り返し継続する。受信周波数設定手段９が再び端子ａに接続された時に依然として信号検出手段８によって信号が検出されると信号検出回数記憶手段１１には再び回数「１」が累計計数されるので信号検出回数として「２」が記憶される。
以下同様に、ｆ１、ｆ２、ｆ３及びｆ４の各周波数に対応した信号検出回数がそれぞれ累計記憶されていく。【００３２】次に、信号検出回数記憶動作を停止させるために、ストップ手段１３を接地させる。制御手段１３にストップ指令を与えて、受信周波数設定手段９及び切替スイッチ１２を同時にスキャン動作を停止させ、受信周波数設定手段９及び切替スイッチ１２の端子は端子ＯＦＦに接続される。
このとき、各受信周波数に対する信号検出回数が以下の通りであったと仮定する。
周波数  信号検出回数
ｆ１      ５０
ｆ２      ２８
ｆ３    １２０
ｆ４        ０【００３３】  この場合、信号検出回数記憶手段１１に記憶された検出回数データの中で最も小さいのは「０」回であり、信号が「０」回検出された受信周波数はｆ４である。従って、スキャンの動作停止とともに、信号検出回数が最も少なかった周波数ｆ４が抽出され、制御手段１３の端子ｂに、ｆ４の周波数データが入力される。【００３４】次に抽出された受信周波数ｆ４は制御手段１３の端子ｇに出力され表示手段１６にｆ４の周波数が数字で表示される。同様に、信号検出回数が最も少なかった周波数がｆ１、ｆ２又はｆ３の場合には、表示手段１６にｆ１、ｆ２又はｆ３の周波数が数字で表示される。【００３５】  また、表示手段１６は制御手段１３から出力された受信周波数だけでなく受信周波数に対応する受信チャンネル番号を表示することもできる。
ｆ４の周波数をチャンネル４とすれば、例えば「ｃｈ−４」と表示することも出来る。【００３６】  上記の動作により周波数ｆ４は当該環境下において、他の無線設備による使用回数がゼロであることが判明したので、通報信号を送信するための周波数として最も適しているとみなすことが出来る。従って、個別番号送信手段１ａ、１ｂ、１ｃ及び１ｄの送信周波数をｆ４とし、受信復調手段３の受信周波数もｆ４とすれば最も安定した通報を期待することができる。【００３７】  そこで、受信周波数設定手段９及び切替スイッチ１２を手動で端子ｄに接続することで受信周波数をｆ４に固定する。また、個別番号送信手段１ａ、１ｂ、１ｃ及び１ｄの送信周波数をｆ４に設定する。【００３８】  なお、当該環境下において、周波数ｆ４を用いた無線設備の動作の過程は従来例と全く同一のため、説明は省略する。【００３９】  以上のように本実施の形態によれば、無線電波を受信復調するための受信復調手段と、複数の受信周波数を記憶するための受信周波数記憶手段と上記受信周波数記憶手段に記憶された複数の受信周波数の中のいずれか一つの受信周波数を選択し上記受信復調手段の受信周波数として設定するための受信周波数設定手段と、上記受信周波数設定手段によって設定された周波数における受信信号の有無を検出する信号検出手段と、上記受信周波数設定手段によって設定された受信周波数において上記信号検出手段が信号を検出した場合に信号を検出した回数を累積して記憶するための信号検出回数記憶手段と、スタート指令によって上記受信周波数記憶手段に記憶された複数の受信周波数を自動的にスキャンさせて各受信周波数に対応した信号検出回数を上記信号検出回数記憶手段に記憶させ、ストップ指令によって上記スキャン動作を停止させるとともに上記信号検出回数記憶手段に記憶された検出回数データの中から信号検出回数が最も少なかった周波数を抽出して出力するための制御手段と、上記制御手段にスタート指令を与えるためのスタート手段と、上記制御手段にストップ指令を与えるためのストップ手段と、上記制御手段から出力された受信周波数又は受信周波数に対応する受信チャンネル番号を表示するための表示手段とを設けることにより、無線通報装置を設置する場所で他の無線設備によって通常的に使用されている周波数を予め把握し、他の無線設備による使用頻度の最も少ない周波数で無線通報を行うことにより、確実に異常状態の発生を通報することができる。【００４０】  なお、本実施の形態において受信周波数記憶手段１０の種類については特に言及していないが、受信周波数及び信号検出回数を記憶できる手段であればアナログ方式、デジタル方式のどちらでもよい。また、本実施の形態において受信周波数設定手段９のスキャン時間及び速度については特に言及していないが、任意に設定することができる。
さらに、本実施の形態では受信周波数記憶手段１０で記憶した受信周波数ｆ１、ｆ２、ｆ３又はｆ４の無線電波及び個別番号送信手段１ａ、１ｂ、１ｃ又は１ｄから送信された無線電波は、受信アンテナ２によって直接受信されるものとして説明しているが、受信周波数記憶手段１０で記憶した受信周波数ｆ１、ｆ２、ｆ３又はｆ４及び個別番号送信手段１ａ、１ｂ、１ｃ又は１ｄと受信アンテナ２との間に無線中継器を１個又は複数個設置し、受信周波数記憶手段１０で記憶した受信周波数ｆ１、ｆ２、ｆ３又はｆ４の無線電波及び個別番号送信手段１ａ、１ｂ、１ｃ又は１ｄから送信された無線電波を中継して受信アンテナ２に到達させることにより、受信周波数及び通報の到達距離を著しく伸ばすことが出来るのは言うまでもない。【００４１】  また、受信周波数設定手段９及び切替スイッチ１２は機械接点スイッチとして説明しているが、データが格納されたメモリアドレスをアクセスする方法でも同様の効果が得られることは言うまでもない。また、スタート手段１４及びストップ手段１５は手動でスタート及びストップさせるとして説明しているが時間を設定して自動でＯＮ／ＯＦＦする方法でも同様の効果が得られることは言うまでもない。【００４２】  また、本実施の形態において個別番号送信手段１ａ、１ｂ、１ｃ及び１ｄは合計４個として説明したが、本発明の原理から明らかなように、個別番号送信手段と信号検出回数記憶手段１１の信号検出の回数には制限はない。
【図面の簡単な説明】
【００４３】
【００４４】
【図１】本発明の実施形態を示す無線通報装置のブロック図
【図２】従来の無線通報装置のブロック図
【符号の説明】
【００４５】１ａ〜１ｄ  個別番号送信手段Ａ〜Ｄ
２  受信アンテナ
３  受信復調手段
４  個別番号検出手段
５  警報音発生手段
６  スピーカ
７  個別番号表示手段
８  信号検出手段
９  受信周波数設定手段
１０  受信周波数記憶手段
１１  信号検出回数記憶手段
１２  切替スイッチ
１３  制御手段
１４  スタート手段
１５  ストップ手段
１６  表示手段
【図１】
2006180440.tif 000003
【図２】
2006180440.tif 000004